(57)【特許請求の範囲】
【請求項１】
吊りワイヤで構築物の外壁に沿って昇降可能に配在されると共に、適宜の連繋手段で構築物の外壁に離脱可能に連繋される吊り足場本体を有してなる吊り足場装置において、吊り足場本体が構築物の外壁に沿って横方向に複数連結され、各吊り足場本体が作業足場に設定の床部に貯留槽を有してなると共に、床部の構築物の外壁に対向する側部に構築物の外壁との間に出現される隙間を閉塞する閉塞体を有してなり、更に相隣する吊り足場本体における各貯留槽が可撓性に富む連通パイプで接続されてなる吊り足場装置
【請求項２】
貯留槽が床部の下方に配設されてなることを特徴とする請求項１の吊り足場装置
【請求項３】
貯留槽が構築物の外壁に仮設される排水パイプを介して下水道側に、あるいは吸引パイプを介して床部上に設置の洗浄機側に連通されてなることを特徴とする請求項１の吊り足場装置
【請求項４】
吊り足場本体が構築物の外壁に対向する側部に構築物の外壁との間に現出される隙間を閉塞する遮蔽構造を有してなることを特徴とする請求項１の吊り足場装置
【発明の詳細な説明】
【０００１】
【産業上の利用分野】
この発明は、構築物の外壁に沿って昇降可能に作業足場を設ける際に利用する吊り足場装置の改良に関する。
【０００２】
【従来技術とその課題】
近年、構築物、特に、高層建築物における外壁の改修工事等の際には、地上から鋼管等を利用して組足場を建ち上げて作業足場を設けるのではなく、高層建築物の外壁に沿って昇降可能なように設定される吊り足場からなる作業足場を設けるとしている。
【０００３】
即ち、作業者の立ち入りを許容するのは勿論のこと、作業者がそこで所定の作業を実行できるように形成されたゴンドラと称される吊り足場本体を高層建築物の外壁に沿って昇降可能なように配在することで、上記の吊り足場からなる作業足場が設けられるとしている。
【０００４】
因に、上記ゴンドラと称される吊り足場本体は、例えば、その上端に配設のプーリ等を介して掛け回された吊りワイヤで吊持され、該吊りワイヤが高層建築物の屋上から張り出すブームを介して同じく屋上に設置されたワイヤ巻取装置に巻き取られる等することで昇降されるように形成されていて、この発明で主題とする吊り足場装置を構成する。
【０００５】
一方、最近では、吊り足場装置は、複数の吊り足場本体を横方向に連結して連続する足場、即ち、横方向に長く連続する広い足場を形成するものとして提案される傾向にもある。
【０００６】
そして、この連続態様の吊り足場装置は、これが所謂鉢巻きのように高層建築物の外周を周回する態様とされて内部が周回する足場とされた上で、この周回する足場、即ち、内部が外部と遮断された状態におかれ、しかも、その内部の温度調整をする等して、全天候型の吊り足場装置として利用できるようにするものとして提案されるまでに至っている。
【０００７】
ところで、上記の全天候型の吊り足場装置を利用する場合でも、建築物における外壁の改修工事等の際には、外壁を洗浄する作業もあり、該洗浄作業には、水等の適宜の洗浄水が利用される。
【０００８】
この場合に、対象物が高層建築物であるからだけでなく、周辺の環境保全のためにも、利用後の洗浄水の垂れ流しが許容されないのは勿論のことで、好ましくは、利用後の洗浄水が正規の下水道に流されるか、あるいは、回収されて再利用に供されるようにすることである。
【０００９】
しかしながら、上記の全天候型の吊り足場装置であっても同様であるが、これまでの吊り足場装置における吊り足場本体は、作業足場に設定される床部が工具やボルトナット等の細かい物を落下させないようには構成されても、利用後の洗浄水を回収等できるようには構成されていない。
【００１０】
従って、これまでは、吊り足場本体内、即ち、内部の床の上面に防水シートを敷設する等して利用後の洗浄水が外部に漏れ出ないようにする、所謂その場凌ぎ的な方策が採られているに過ぎなかった。
【００１１】
この発明は、このような現状に鑑みて創案されたものであって、その目的とするところは、基本的には、吊り足場を利用しながら洗浄水を利用して構築物の外壁を洗浄する場合の利用に最適となる吊り足場装置を提供することである。
【００１２】
そして、好ましくは、作業足場が周回状態に連続し全天候型に設定された吊り足場を利用しながら洗浄水を利用して高層建築物の外壁を洗浄する場合の利用に最適となる吊り足場装置を提供することである。
【００１３】
【課題を解決するための手段】
上記した目的を達成するため、この発明の構成を、吊りワイヤで構築物の外壁に沿って昇降可能に配在されると共に、適宜の連繋手段で構築物の外壁に離脱可能に連繋される吊り足場本体を有してなる吊り足場装置において、吊り足場本体が構築物の外壁に沿って横方向に複数連結され、各吊り足場本体が作業足場に設定の床部に貯留槽を有してなると共に、床部の構築物の外壁に対向する側部に構築物の外壁との間に出現される隙間を閉塞する閉塞体を有してなり、更に相隣する吊り足場本体における各貯留槽が可撓性に富む連通パイプで接続されてなることを特徴とするものである。
【００１４】
そして、具体的には、貯留槽が床部の下方に配設されてなるとし、また、貯留槽が構築物の外壁に仮設される排水パイプを介して下水道側に、あるいは吸引パイプを介して床部上に設置の洗浄機側に連通されてなるとする。
【００１５】
さらに、好ましくは、吊り足場本体が構築物の外壁に対向する側部に構築物の外壁との間に現出される隙間を閉塞する遮蔽構造を有してなるとする。
【００１６】
【作用】
それ故、貯留槽が回収された洗浄水を貯留する。
【００１７】
このとき、構築物の外壁に吹き付けられる等した洗浄水が閉塞体によって床部上側に案内される。
【００１８】
吊り足場本体における床部自体が貯留槽を形成する場合には、床部上に案内された洗浄水が該床部上に集積、即ち、貯留される。
【００１９】
また、貯留槽が床部の下方に設けられている場合には、床部上に案内された洗浄水が床部に開穿されている小孔等の開口を介して貯留槽内に回収されて、床部上に洗浄水を残存させず、作業足場を所謂水浸し状態にしない。
【００２０】
そして、貯留槽が構築物の外壁に仮設される排水パイプを介して下水道側に連通されてなる場合には、洗浄水の所謂排水を可能にする。
【００２１】
さらに、貯留槽が吸引パイプを介して床部上に設置の洗浄機側に連通されてなる場合には、洗浄水の再利用を可能にする。
【００２２】
吊り足場装置が複数の吊り足場本体を構築物の外壁に沿って横方向に連結され且つ相隣する吊り足場本体間において各貯留槽が可撓性に富む連通パイプで接続されているので上記した洗浄機利用の場合に必要とされる量の洗浄水の確保を可能にする。
【００２３】
また、構築物の外壁の所定位置に定着された吊り足場本体が遮蔽構造によってその構築物の外壁に対向する側部と構築物の外壁との間に出現される隙間を閉塞する状態におかれる場合には、その所謂内部と外部との遮断を可能にし、要する場合に、例えば、内部における温度調整を可能にし、全天候型の吊り足場として利用を可能にする。
【００２４】
尚、足場本体は、吊りワイヤで構築物の外壁に沿った状態に配在されて構築物の屋上に設置のワイヤ巻取装置の駆動によって昇降される。
【００２５】
所定位置に昇降された足場本体は、構築物の外壁に適宜の連繋手段で連繋されて、上下左右及び構築物の外壁に遠近する方向に離脱可能に定着される。
【００２６】
【実施例】
以下、図示した実施例に基づいて、この発明を詳細に説明するが、この発明の実施例に係る吊り足場装置は、基本的には、図１に示すように、従来のこの種の吊り足場装置と同様に、吊りワイヤＷで構築物たる高層建築物Ａの外壁Ａ１に沿って昇降可能に配在される単一の吊り足場本体１を有してなる。
【００２７】
そして、吊り足場本体１は、その上端に配設のプーリＰを介して掛け回された吊りワイヤＷで吊持され、該吊りワイヤＷが高層建築物Ａの屋上Ａ２から張り出すブームＢを介して同じく屋上Ａ２に設置されたワイヤ巻取装置（図示せず）に連結され、該ワイヤ巻取装置の駆動で昇降されるように設定されている。
【００２８】
尚、ワイヤ巻取装置の駆動は、該吊り足場装置が単体の吊り足場本体１を有してなる場合には、その吊り足場本体１内に居る作業者の直接操作で実行され、該吊り足場装置が複数の吊り足場本体１を横方向に連続する状態に有してなる場合には、上記高層建築物Ａにおける屋上Ａ２等の適宜の場所に居る専従作業者による所謂集中コントロール操作で実行される。
【００２９】
上記吊り足場本体１は、その移動時、即ち、昇降時を除き、その利用時には高層建築物Ａの外壁Ａ１に適宜の連繋手段Ｊで連繋されて離脱可能に定着されるとしている。
【００３０】
該連繋手段Ｊによる外壁Ａ１への連繋で吊り足場本体１が所定位置に安定した状態、即ち、高層建築物Ａの外壁Ａ１に固定的な状態で配設されることになり、吊り足場本体１の利用時にこれが上下左右方向及び外壁Ａ１に遠近する方向に揺動されなくなる。
【００３１】
ところで、該吊り足場装置は、図示例にあって、吊り足場本体１の側部１ａ、即ち、図１中で左端部となる高層建築物Ａの外壁Ａ１に対向する側部１ａに高層建築物Ａの外壁Ａ１との間に出現される隙間（図示せず）を閉塞する遮蔽構造Ｓを有してなるとしている。
【００３２】
該遮蔽構造Ｓは、図示例にあって、下端側が自由端とされる逆Ｕ字状に形成されたエアバック状体Ｓ１を有してなり、吊り足場本体１が上記連繋手段Ｊによって高層建築物Ａの外壁Ａ１に固定的に連結されている状態のときに、エアバック状体Ｓ１が吊り足場本体１等に装備された圧気供給源（図示せず）からの圧気の供給で膨張されて上記隙間を逆Ｕ字状に閉塞するとしている。
【００３３】
それ故、該遮蔽構造Ｓによれば、エアバック状体Ｓ１が所定位置に所定の膨張状態に配在されることで、上記隙間が逆Ｕ字状に閉塞されることになり、上方向及び横方向からの雨水の浸入や風の侵入を阻止し得ることになる。
【００３４】
また、該遮蔽構造Ｓによれば、後述する閉塞体４との協働によって、吊り足場本体１の内部と外部との遮断を実現し得て、内部における温度の調整をも可能にして、該吊り足場装置を全天候型に設定することも可能になる。
【００３５】
尚、エアバック状体Ｓ１は、実施例では、これが逆Ｕ字状に形成されてなるとするが、これに代えて、輪状に形成されてなるとしても良く、この場合には、後述する閉塞体４の配在に依らずして、内外の遮断が可能になるのは勿論のこと、工具や後述する洗浄水の上記隙間を介しての落下を予め阻止できることになる点で有利となる。
【００３６】
また、エアバック状体Ｓ１に代えて、予め適宜の太さに膨張されたゴムチューブ状体、あるいは、これ等と同等の形態にスポンジ等で形成されたシール状体等とされても良いが、上記したエアバック状体Ｓ１が選択される場合には、不要時には圧気を抜いて、該エアバック状体Ｓ１を所謂コンパクトにして保管等ができる点で有利となる。
【００３７】
一方、上記吊り足場本体１は、図２にも示めすように、この発明において、吊り足場本体１において作業足場に設定される床部２に貯留槽３を有してなると共に、床部２における側部、即ち、図２中において左端部となる高層建築物Ａの外壁Ａ１に対向する側部２ａに上記外壁Ａ１との間に出現される隙間（図示せず）を閉塞して後述する洗浄水を床部２上側へ案内する閉塞体４を有してなる。
【００３８】
上記床部２は、図示例にあって、図２に示すように、軽量でありながら所定の強度を有するアルミ材等で形成された板状体２１からなり、吊り足場本体１において、所謂四隅部に立設される柱５の下端部に図示しない溶接やボルト絞め等の適宜の連設手段で連設されている。
【００３９】
ところで、板状体２１は、吊り足場本体１においてその上面への作業者の立ち入りを許容するように形成されているのは勿論のこと、図示例にあって、その肉厚を上下に貫通するように開穿された多数の小孔２１ａを有していて、その上面に集積される洗浄水を下方の貯留槽３に落下させるように設定されている。
【００４０】
因に、上記小孔２１ａは、工具は勿論のことボルトナット等の所謂小物の通過を許容しない径に設定されており、従って、洗浄水の通過を許容する限りにおいては、該小孔２１ａに代えてスリット等の他の開口とされるとしても良い。
【００４１】
尚、図示例にあって、図２中で右端部となる床部２の外方側端部の上面には、巾木態様の適宜高さのパネル６が配設されており、床部２の上面に落下等される工具やボルトナット等の小物が上記外方側端部から所謂外部に落下等されないようにするのは勿論のこと、床部２の上面に落下する洗浄水が上記外部に飛散されたり、床部２の上面に集積される洗浄水が小孔２１ａを介して貯留槽３に落下される前に上記外部に漏れ出ないように配慮している。
【００４２】
上記貯留槽３は、図示例にあって、床部２の下方に配設されてなるとするもので、軽量でありながら所定の強度を有するアルミ材等で形成され上端で開口する函状に形成されている。
【００４３】
そして、該貯留槽３は、前記柱５の下端部に図示しない溶接やボルト絞め等の適宜の連設手段で連設されて、その内部に床部２から小孔２１ａを介して落下される洗浄水を回収して貯留し得るように設定されている。
【００４４】
尚、貯留槽３の上端は、図示例にあって、床部２の下面に連設されていないとするが、要する場合には、これが床部２の下面に溶接やボルト絞め等の適宜の連設手段で連設されているとしても良いこと勿論である。
【００４５】
貯留槽３が床部２の下方に配設されるとすることで、床部２が直接貯留槽３を兼ねるとする場合に比較して、回収された洗浄水に作業者が足を浸けたまま作業を続行する等の不具合を予め回避できることになる。
【００４６】
また、床部２が直接貯留槽３を兼ねるとする場合には、前記パネル６と同様の巾木態様のものを床部２の上面四方に配設することになるが、吊り足場本体１が単体で利用される場合はともかく、吊り足場本体１が横方向に複数連続された状態で利用される場合には、特に、該横方向の巾木態様の配設物が作業者の歩行を妨げる障害物になる危惧がある。
【００４７】
それ故、貯留槽３は、これが床部２の下方に配設されるのが好ましいことになるが、該貯留槽３に貯留される洗浄水は、図示例にあっては、該貯留槽３に連設されたドレン管３１に連結される排水パイプ３２を介して下水道（図示せず）側に接続されるとしている。
【００４８】
貯留槽３が排水パイプ３２を介して下水道側に接続されるとすることで、貯留槽３からの外部への排水が可能になり、吊り足場本体１における洗浄水による重量の増大を予め阻止できる点で有利となる。
【００４９】
尚、ドレン管３１は、その下端が前記した柱５の下端より下方に突出しない長さに設定されており、該吊り足場本体１を地上等に載置するときにその障害にならないように配慮している。
【００５０】
また、排水パイプ３２は、その中間部が高層建築物Ａの外壁Ａ１に仮設のブラケット３２ａで定着されるとして、排水時の水圧や風等による所謂バタツキが予め阻止されるとしている。
【００５１】
上記閉塞体４は、高層建築物Ａの外壁Ａ１が洗浄水で洗浄されるときに、その利用後の洗浄水を床部２上側、即ち、貯留槽３の上方側に案内するために設けられるものである。
【００５２】
そのためには、床部２の側部２ａと高層建築物Ａの外壁Ａ１との間に出現されている隙間を該閉塞体４が閉塞することが必要になるもので、それ故、該閉塞体４は、図示例にあって、軽量でありながら所定の自己支持性を有するアルミ材等で横方向に形成されている。
【００５３】
少し説明すると、該閉塞体４は、実質的に上記隙間を閉塞する本体部たる平板部４１と、該平板部４１を下方から補強する補強部４２と、を有してなり、平板部４１と補強部４２とが溶接等で予め一体化されており、平板部４１がボルト４３の利用で前記床部２に分離可能に連結されることで、床部２の側部２ａに配設されるとしている。
【００５４】
そのため、この実施例にあって、平板部４１は、その基端側に図２中で左右方向となる該平板部４１の軸線方向に沿うように開穿されて下方の床部２に予め開穿されている螺条孔（符示せず）に照準される長孔４１ａを有してなり、該長孔４１ａに上記ボルト４３を挿通させると共に、この状態から該ボルト４３を上記螺条孔に螺入させるとしている。
【００５５】
尚、上記螺条孔は、床部２における前記小孔２１ａを螺条孔に形成して、これをここに言う螺条孔に転用するようにしても良いこと勿論で、この場合には、上記小孔２１ａとは別に螺条孔を設けなくても良くなる点で有利となる。
【００５６】
また、この実施例にあって、補強部４２は、図２中で右端となる基端にフランジ部４２ａを有してなり、該フランジ部４２ａが前記貯留槽３の側部、即ち、図２中で左端部となって高層建築物Ａの外壁Ａ１に対向する側部３ａに当接されることで、上記平板部４１の先端側の所謂倒れを阻止するように設定されてなるとしている。
【００５７】
上記平板部４１の先端にはシール４４が固定的に連設されており、平板部４１の先端が直接高層建築物Ａの外壁Ａ１に当接されるとすると、そこに生じることになるであろう僅かな隙間を該シール４４で閉塞するようにしている。
【００５８】
因に、シール４４は、図示例にあって、ゴム材で適宜肉厚のチューブ状に形成されてなるとしているが、要は、上記したように僅かな隙間を出現させないように設定されていることであり、従って、その限りにおいて、自由な形態を選択できる。
【００５９】
それ故、以上のように形成された閉塞体４にあっては、高層建築物Ａの外壁Ａ１に噴射等されて該外壁Ａ１を流れ落ちる洗浄水がシール４４及び平板部４１の上面を流れて床部２上に流れ、該床部２の下方の貯留槽３内に回収されることになり、特に、前記した隙間を介して洗浄水が外部に落下される不都合を未然に阻止できることになる。
【００６０】
また、該閉塞体４にあっては、前記した遮蔽構造３を構成するエアバック状体Ｓ１が輪状に形成されて所謂下端側を有することになるとき、該閉塞体４がエアバック状体Ｓ１の下端側を所謂上方から覆って保護する状態になり、溶接作業時の火玉等からエアバック状体Ｓ１を保護し得ることにもなる。
【００６１】
ところで、上記の実施例のように、平板部４１が床部２と所謂面一となるように設定されている場合には、床部２上に居る作業者が平板部４１上に立ち入ることになる危惧がある。
【００６２】
このとき、閉塞体４、即ち、平板部４１及び補強部４２からなる構造体部分が充分な強度を有するように設定されていれば、該閉塞体４を床部２の延長部として機能させ得ることになる利点があるが、好ましくは、作業者の立ち入りを阻止するのが良い。
【００６３】
図３は、閉塞体４、即ち、平板部４１上に作業者が立ち入らないようにした実施例を示すものであって、平板部４１及び補強部４２からなる構造体部分が床部２の端部に起立して床部２の側部２ａを構成するブラケット部４５にボルトナット４６，４７の利用で連設されてなるとしている。
【００６４】
この実施例による場合には、平板部４１の上面が床部２の上面より上記ブラケット部４５分だけ高くなるから、床部２上にいる作業者を平板部４１上に必然的に立ち入らせないようにすることが可能になる。
【００６５】
従って、この実施例にあっては、閉塞体４、即ち、平板部４１及び補強部４２からなる構造体部分を前記した実施例に比較して頑強に形成する必要がなく、その結果、該吊り足場本体２における全体重量の低減化が可能になる点で有利となる。
【００６６】
ところで、前記した各実施例の場合には、閉塞体４が床部２の側部２ａに固定的に連設されてなるとするが、これに代えて、図４に示すように、回転可能なように配設されてなるとしても良い。
【００６７】
即ち、閉塞体４は、この実施例にあって、平板部４１が蝶番構造（符示せず）に形成されてなるとするもので、蝶番の一翼に相当する平板部４１の基端側部４１ｂが、図２に示す実施例の場合と同様にボルト４３を利用して、あるいは、溶接等で床部２の上面に連設されてなるとしている。
【００６８】
そして、蝶番の他翼に相当する平板部４１の先端側部の下面側に補強部４２が連設され、図２に示す実施例の場合と同様に、該補強部４２で平板部４１の先端側の所謂倒れを阻止するように設定されてなるとしている。
【００６９】
さらに、この実施例にあっては、平板部４１の先端に前記したシール４４に代えて柔軟性に富む板ゴムからなる帯状体４８を有してなるとしており、しかも、該帯状体４８は、所謂余裕ある長さに設定されて、平板部４１の先端と高層建築物Ａの外壁Ａ１との間の隙間が微小に広狭変化される場合にも対応できるように配慮されている。
【００７０】
尚、上記シール４４に代える帯状体４８は、図３の実施例の場合にも適用されて良いこと勿論である。
【００７１】
それ故、この図４に示す実施例による場合には、図中に仮想線矢印で示すように、閉塞体４を回転することが可能になり、図中に仮想線図で示す所謂閉成状態におかれる場合には、該閉塞体４が吊り足場本体１の昇降時にその障害にならないことになる点で有利となる。
【００７２】
尚、この図４に示す実施例の場合、及び、図２に示す実施例の場合には、平板部４１の上面に立ち入りを禁止する適宜の表示がなされるのが好ましい。
【００７３】
図５は、この発明の実施例に係る吊り足場装置を示すものであって、該吊り足場装置は、複数の吊り足場本体１を図中で左右方向となる横方向に連続して結合したものである。
【００７４】
そして、この実施例では、相隣する吊り足場本体１間は、リンク構造７で連結されてなると共に、相隣する吊り足場本体１間におけるの各貯留槽３が配水管３１を介して可撓性に富む連通パイプ３３で接続されてなるとしている。
【００７５】
また、この実施例では、貯留槽３に回収された洗浄水が洗浄機８の利用で再利用されるとしている。
【００７６】
上記のように、相隣する貯留槽３間が可撓性に富む連通パイプ３３で接続されるとするのは、第一に、利用後の洗浄水を回収して洗浄機８で再利用するに便利なようにするためであり、第二に、相隣する吊り足場本体１間がリンク構造７で連結されてなることに相応するためである。
【００７７】
即ち、洗浄機８を使用するについては、洗浄水が不足して洗浄機８が所謂空回りしないようにする必要があり、そのために十分な量の洗浄水を確保できるように、相隣する貯留槽３間を所謂パイプで接続するものである。
【００７８】
また、該吊り足場装置が複数の吊り足場本体１を横方向に連続した状態で昇降される場合には、各吊り足場本体１を同期に昇降するようにしても、実際には同期されないで所謂競ることがあり、この競りによる昇降不能の事態を予め招来しないようにするためにリンク構造７を設けている。
【００７９】
それ故、該吊り足場装置がリンク構造７の作用で競りなくして昇降し得ることになり、リンク構造７の作用を阻害せずして相隣する貯留槽３間を接続するために連通パイプ３３を配設するとしている。
【００８０】
因に、洗浄機８は、吸引パイプ３４を介して貯留槽３からの洗浄水を吸い上げると共に、噴射パイプ８１を介して洗浄水を再利用に機供するとしている。
【００８１】
尚、この実施例にあっても、吊り足場本体１を構成する床部２，貯留槽３，閉塞体４及び柱５は、前記した実施例の場合と同様に構成されており、また、図示しないが、遮蔽構造Ｓを構成するエアバック状体Ｓ１及びパネル６を有すること等において、前記した実施例の場合と同様に構成されているので、それ等の作用や機能するところについての詳しい説明は、これを省略する。
【００８２】
以上のことから、この実施例によれば、前記した実施例と同様に、回収された洗浄水に作業者が足を浸けたまま作業を続行する等の不具合を予め回避できるのは勿論のこと、薬剤等を含むことがある洗浄水が下水道側に排水させず、また、その洗浄水を再利用に供して洗浄水の有効利用を可能にすることになる。
【００８３】
尚、この実施例にあって、選択された貯留槽３がバルブの配在下等に下水道側に連通されるように設定されてなるとしても良いこと勿論である。
【００８４】
また、洗浄機８を有しない実施例にあって、洗浄水は、一般には、高層建築物Ａの屋上Ａ２から耐圧ホースによって供給される。
【００８５】
【発明の効果】
以上のように、この発明によれば、吊り足場を利用しながら洗浄水を利用して構築物の外壁を洗浄する場合に、構築物の外壁に吹き付けられた洗浄水が閉塞体に案内され床部上を介して貯留槽内に回収されるから、利用後の洗浄水が吊り足場本体の外部に漏れ出なくなり、該吊り足場本体より下方の構築物の外壁を徒に濡らさないのは勿論のこと、構築物の外壁周辺等に飛散等されなくなり、環境保全が可能になる利点がある。
【００８６】
そして、貯留槽が床部の下方に配設されてなる場合には、床部が直接貯留槽を兼ねるとする場合に比較して、回収された洗浄水に作業者が足を浸けたまま作業を続行する等の不具合を予め回避できることになる利点がある。
【００８７】
また、貯留槽が排水パイプを介して下水道側に接続されてなる場合には、利用後の洗浄水が垂れ流されないのは勿論のこと、吊り足場本体における重量を増加させない傾向に維持できる利点がある。
【００８８】
さらに、貯留槽が吸引パイプを介して洗浄機側に接続されてなる場合には、回収された洗浄水を再利用に供することで、洗浄水の有効利用が可能になる利点がある。
【００８９】
そしてまた、吊り足場本体が構築物の外壁に沿って横方向に複数連結されてなると共に、相隣する吊り足場本体間において各貯留槽が可撓性に富む連通パイプで接続されているので、特に、上記した洗浄機を利用する場合に必要な量の洗浄水を確保することが容易になる利点がある。
【図面の簡単な説明】
【図１】この発明の一実施例に係る吊り足場装置における単一の吊り足場本体の利用状態を示す概略図である。
【図２】図１に示す単一の吊り足場本体の下方部を拡大して示す部分縦断面図である。
【図３】他の実施例に係る閉塞体部分を拡大して示す部分縦断面図である。
【図４】他の実施例に係る閉塞体部分を拡大して示す部分縦断面図である。
【図５】この発明の一実施例に係る吊り足場装置における吊り足場本体の下方部を拡大して示す部分縦断面図である。
【符号の説明】
１  吊り足場本体
１ａ，２ａ  側部
２  床部
３  貯留槽
４  閉塞体
８  洗浄機
３２  排水パイプ
３３  連通パイプ
３４  吸引パイプ
Ａ  構築物たる高層建築物
Ａ１  外壁
Ｊ  連繋手段
Ｓ  遮蔽構造
Ｗ  吊りワイヤ
【図１】
0003579847.tif 000002
【図２】
0003579847.tif 000003
【図３】
0003579847.tif 000004
【図４】
0003579847.tif 000005
【図５】
0003579847.tif 000006